(57)【要約】【課題】例えば、発熱体で生じた熱による影響を減らすことが可能な構成を有した映像表示装置を得る。【解決手段】実施形態の映像表示装置は、例えば、表示部と、筐体と、発熱体と、部材と、を備える。表示部は、表示面と、当該表示面とは反対側の第一の面と、を有する。筐体は、第一の面を覆う第一の壁部を有し、表示部の少なくとも一部を収容する。発熱体は、第一の面と第一の壁部との間に位置される。部材は、第二の壁部と、端部と、第三の壁部と、を有する。第二の壁部は、第一の面と第一の壁部との間に位置され発熱体から受熱する。端部は、筐体と接触するかあるいは第二の壁部よりも筐体に近接する。第三の壁部には、第二の壁部と端部との間に位置され第一の開口が設けられる。【選択図】図６
2015191201.tif 000002
【特許請求の範囲】
【請求項１】
表示面と、当該表示面とは反対側の第一の面と、を有した表示部と、
前記第一の面を覆う第一の壁部を有し、前記表示部の少なくとも一部を収容した筐体と、
前記第一の面と前記第一の壁部との間に位置された発熱体と、
前記第一の面と前記第一の壁部との間に位置され前記発熱体から受熱する第二の壁部と、前記筐体と接触するかあるいは前記第二の壁部よりも前記筐体に近接した端部と、前記第二の壁部と前記端部との間に位置され第一の開口が設けられた第三の壁部と、を有した部材と、
を備えた、映像表示装置。
【請求項２】
前記端部は一方向に沿って延び、
前記第一の開口の前記一方向に沿った幅の合計値が前記狭窄部の前記一方向に沿った幅の合計値よりも大きい、請求項１に記載の映像表示装置。
【請求項３】
前記第一の開口は閉じられている、請求項１または２に記載の映像表示装置。
【請求項４】
前記第一の開口は覆部材で覆われている、請求項１〜３のうちいずれか一つに記載の映像表示装置。
【請求項５】
前記覆部材は遮光性を有した、請求項４に記載の映像表示装置。
【請求項６】
前記筐体に、前記第一の開口の縁部と面した第二の開口が設けられた、請求項１〜５のうちいずれか一つに記載の映像表示装置。
【請求項７】
前記縁部は、前記第一の開口の前記発熱体側に位置された、請求項６に記載の映像表示装置。
【請求項８】
前記発熱体は、電気部品である、請求項１〜７のうちいずれか一つに記載の映像表示装置。
【請求項９】
前記発熱体は、発光体である、請求項８に記載の映像表示装置。
【請求項１０】
表示面と、当該表示面とは反対側の第一の面と、を有した表示部と、
前記第一の面を覆う第一の壁部を有し、前記表示部の少なくとも一部を収容した筐体と、
前記第一の面と前記第一の壁部との間に位置された発熱体と、
前記第一の面と前記第一の壁部との間に位置され前記発熱体から受熱する第二の壁部と、前記筐体と接触するかあるいは前記第二の壁部よりも前記筐体に近接した端部と、前記第二の壁部と前記端部との間に位置され複数の第一の開口が設けられた第三の壁部と、を有した部材と、
を備え、
前記第三の壁部は、二つの前記第一の開口の間の前記一方向に沿った幅が前記第一の開口の前記一方向に沿った幅よりも小さい部分を有した、映像表示装置。
【発明の詳細な説明】
【技術分野】
【０００１】
本発明の実施形態は、映像表示装置に関する。
【背景技術】
【０００２】
従来、筐体内に、発熱体としてのバックライト用のＬＥＤが収容された映像表示装置が知られている。
【先行技術文献】
【特許文献】
【０００３】
【特許文献１】特開２０１３−１８２０７６号公報
【発明の概要】
【発明が解決しようとする課題】
【０００４】
この種の映像表示装置では、発熱体で生じた熱の影響を減らすことが可能な新規な構成が得られれば、有意義である。
【０００５】
そこで、本発明の実施形態は、発熱体で生じた熱の影響を減らすことが可能な構成を有した映像表示装置を得ることを、目的の一つとする。
【課題を解決するための手段】
【０００６】
実施形態の映像表示装置は、例えば、表示部と、筐体と、発熱体と、部材と、を備える。表示部は、表示面と、当該表示面とは反対側の第一の面と、を有する。筐体は、第一の面を覆う第一の壁部を有し、表示部の少なくとも一部を収容する。発熱体は、第一の面と第一の壁部との間に位置される。部材は、第二の壁部と、端部と、第三の壁部と、を有する。第二の壁部は、第一の面と第一の壁部との間に位置され発熱体から受熱する。端部は、筐体と接触するかあるいは第二の壁部よりも筐体に近接する。第三の壁部には、第二の壁部と端部との間に位置され第一の開口が設けられる。
【図面の簡単な説明】
【０００７】
【図１】図１は、実施形態の映像表示装置の一例を前側から見た斜視図である。
【図２】図２は、実施形態の映像表示装置の一例の後側から見た斜視図である。
【図３】図３は、図１のIII−III線での断面図である。
【図４】図４は、実施形態の映像表示装置の一例の内部構成の正面図であって、複数のＬＥＤが示された図である。
【図５】図５は、実施形態の映像表示装置の一例の内部構成の背面図であって、複数の基板が示された図である。
【図６】図６は、図３の一部の拡大図である。
【図７】図７は、図６のVII−VII線での断面図である。
【発明を実施するための形態】
【０００８】
以下、本発明の例示的な実施形態が開示される。以下に示される実施形態の構成や制御（技術的特徴）、ならびに当該構成や制御によってもたらされる作用および結果（効果）は、一例である。
【０００９】
また、以下の各図では、便宜上、方向が規定されている。図１に示されるようなテレビジョン受像機１の筐体３がスタンド２に対する可動範囲の中央位置（中立位置）にある状態において、Ｘ方向は、表示面４ａに対する正面視（前面視）で右方、Ｙ方向は、上方、Ｚ方向は、表示面４ａの法線方向（手前方向、前方）である。なお、本実施形態では、例えば、Ｙ方向は、テレビジョン受像機１のスタンド２が載置面Ｐ（平面、載置平面、ＸＺ平面、図３参照）上に載せられた場合の当該載置面Ｐの法線方向に沿い、Ｘ方向およびＺ方向は、載置面Ｐと平行である。また、以下では、便宜上、図１〜６の上方は上方、図１〜６の下方は下方、図３，６の左方は前方とそれぞれ称される。
【００１０】
以下の実施形態では、映像表示装置がテレビジョン受像機として構成された場合が例示されるが、本発明の映像表示装置は、これには限定されない。本発明の映像表示装置は、発熱体が収容された筐体を備えた電子機器、具体的には、例えば、所謂オールインワン（ＡＩＯ）タイプのパーソナルコンピュータや、スマートテレビ、ディスプレイ装置、モニタ装置、タブレット、スマートフォン、携帯電話機等としても構成されうる。
【００１１】
図１に示されるように、テレビジョン受像機１は、スタンド２と筐体３とを備える。筐体３は、表示部４を支持する。表示部４の少なくとも一部は、筐体３内に収容される。スタンド２は、筐体３を支持する。なお、スタンド２は、筐体３を、移動可能（回動可能）に支持することができる。例えば、スタンド２は、筐体３を、載置面Ｐ（図３参照）と直交した軸回りに回動可能に支持することができる。テレビジョン受像機１は、映像表示装置または電子機器の一例である。スタンド２は、支持部や、台部や脚部等とも称されうる。筐体３は、アウタケースや、カバー、ハウジング等とも称されうる。
【００１２】
図１，２に示されるように、筐体３は、正面視および背面視では四角形状（例えば横長の長方形状）の外観を呈している。また、図３に示されるように、筐体３は、前後方向に薄い扁平な直方体状に構成されている。筐体３は、面３ａと、この反対側の面３ｂと、を有する。面３ａおよび面３ｂは、いずれも、筐体３の厚さ方向（Ｚ方向）と交叉する方向（例えば直交する方向、ＸＹ平面）に沿って延びている（広がっている）。面３ａと面３ｂとは略平行である。また、筐体３は、面３ａと面３ｂとの間に亘る面３ｐを有する。面３ａは、前面または正面とも称されうる。面３ｂは、後面または背面とも称されうる。面３ｐは、周面または側面とも称されうる。面３ａ，３ｂ，３ｐは、必ずしもエッジ等で明確に区分される必要はなく、湾曲部等を介してなめらかに繋がってもよいし、一体化されてもよい。例えば、図３に示されるように、上側の面３ｐは、上側および後側に凸の湾曲面として構成され、面３ｂとなめらかに繋がり一体化されている。
【００１３】
筐体３は、正面視では、四つの端部３ｃ〜３ｆと、四つの角部３ｇ〜３ｊと、を有する。端部３ｃ〜３ｆは、辺部または縁部とも称されうる。角部３ｇ〜３ｊは、尖部、曲部、または端部とも称されうる。また、本実施形態では、端部３ｃ，３ｅは、長辺部の一例であり、端部３ｄ，３ｆは、短辺部の一例である。
【００１４】
筐体３は、壁部３ｋ，３ｍ，３ｎを有する。壁部３ｋ，３ｍ，３ｎは、プレートやフレームとも称されうる。壁部３ｋは、筐体３のうち前側に位置され、筐体３の厚さ方向（Ｚ方向）と交叉する方向（例えば直交する方向、ＸＹ平面）に沿って延びている（広がっている）。壁部３ｋは、前壁部や表壁部等とも称されうる。壁部３ｍは、筐体３のうち後側に位置され、筐体３の厚さ方向（Ｚ方向）と交叉する方向（例えば直交する方向、ＸＹ平面）に沿って延びている（広がっている）。壁部３ｍは、後壁部や裏壁部等とも称されうる。壁部３ｎは、壁部３ｋと壁部３ｍとの間に亘り、壁部３ｋおよび壁部３ｍと交差している。壁部３ｎは、周壁部や、側壁部、端壁部、立壁部等とも称されうる。壁部３ｋ，３ｍ，３ｎは、それぞれ四角形状（例えば長方形状）の板状である。また、壁部３ｋは、面３ａを有し、壁部３ｍは、面３ｂを有し、壁部３ｎは、面３ｐを有する。壁部３ｋ，３ｍ，３ｎは、必ずしもエッジ等で明確に区分される必要はなく、湾曲部等を介してなめらかに繋がってもよいし、一体化されてもよい。例えば、図３に示されるように、上側の壁部３ｎは、上側および後側に凸に湾曲され、壁部３ｍとなめらかに繋がり一体化されている。壁部３ｋ，３ｍ，３ｎは、部分的に屈曲され、凹部や凸部等を有してもよい。また、壁部３ｋ，３ｍ，３ｎの筐体３内側には、リブや突起等が設けられうる。このような構成により、筐体３の剛性が高まりやすい。筐体３は、金属材料や合成樹脂材料等で構成されうる。壁部３ｍは、第一の壁部の一例である。
【００１５】
図１，３に示されるように、壁部３ｋには、例えば四角形状の開口部３ｒが設けられている。よって、壁部３ｋは、四角形状かつ枠状である。また、開口部３ｒは、例えば、透明な板状の部材３ｓで覆われている。この部材３ｓは、マスクや、カバー、ガラス等とも称されうる。
【００１６】
図２，３に示されるように、壁部３ｍには、開口部３ｔ，３ｕ（開口領域、開口形成領域）が設けられている。開口部３ｔ，３ｕは、貫通孔であり、筐体３の内側（空間Ｓ２）と外側とを連通している。開口部３ｔ，３ｕは、上下方向に互いに離間している。開口部３ｔは、筐体３の上側の端部３ｃに寄せて設けられ、当該端部３ｃに沿って延びている。また、開口部３ｕは、筐体３の下側の端部３ｅに寄せて設けられ、当該端部３ｅに沿って延びている。開口部３ｔ，３ｕは、それぞれ、複数の貫通孔３ｖを含んでいる。貫通孔３ｖは、例えば、端部３ｃ，３ｅと交差する方向（Ｙ方向）に細長いスリット状に形成されている。複数の貫通孔３ｖが、それぞれの幅方向（Ｘ方向）に間隔をあけて並べられている。
【００１７】
開口部３ｔは、筐体３の上部に設けられている。よって、筐体３（空間Ｓ２）内で電気部品の発熱等によって暖められた空気は、開口部３ｔから流出する。これに応じて、開口部３ｔより下側に位置された開口部３ｕを介して、筐体３内に空気が流入する。すなわち、上下に離間された二つの開口部３ｔ，３ｕが設けられたことにより、筐体３内には、開口部３ｕから流入し筐体３（空間Ｓ２）内を上昇して開口部３ｔから流出する空気流Ｓｔ１，Ｓｔ２が形成される。なお、筐体３内には、空気流を生じる電動ファンが設けられてもよい。また、開口部３ｔ，３ｕは、例えばメッシュ状に形成されるなど、種々の形態で形成されてもよい。
【００１８】
筐体３は、複数の部品（分割体）が組み合わせられて構成されることができる。例えば、筐体３は、前側の部材１１と、後側の部材１２と、を有する。部材１１は、少なくとも壁部３ｋを含む。部材１１は、前側部材や、マスク、カバー、フロントカバー、ベゼル等とも称されうる。また、部材１２は、少なくとも壁部３ｍを含む。部材１２は、後側部材や、ベース、ボトム、カバー、リヤカバー等とも称されうる。壁部３ｎは、部材１１および部材１２のうち少なくともいずれか一方に含まれうる。
【００１９】
筐体３内の、部材１１と部材１２との間、すなわち、壁部３ｋと壁部３ｍとの間には、部材１３が設けられている。部材１３は、中間部材や、インナプレート、ミドルプレート、ミドルフレーム、シールド等とも称されうる。部材１３は、四角形状（例えば長方形状）である。部材１３は、壁部１３ａ，１３ｂを有する。壁部１３ａ，１３ｂは、それぞれ、四角形状（例えば長方形状）の板状である。壁部１３ａは、筐体３の厚さ方向と交叉する方向（例えば直交する方向、ＸＹ平面）に沿って延びている（広がっている）。この壁部１３ａを取り囲むように、複数（例えば四つ）の壁部１３ｂが設けられている。壁部１３ｂは、壁部１３ａの端部１３ｃ（周縁部、角部）から前側（図３では左側）に向かうにつれて筐体３の中央部から離間する方向に延びている（広がっている）。壁部１３ａおよび壁部１３ｂにより、前側に向けて開放された凹部が構成されている。なお、壁部１３ａ，１３ｂは、必ずしもエッジ等で明確に区分される必要はなく、湾曲部等を介してなめらかに繋がってもよいし、一体化されてもよい。部材１３は、熱伝導率が比較的高い材料、例えば鉄系材料やアルミ系材料等の金属材料で、構成される。壁部１３ａは、第二の壁部の一例であり、壁部１３ｂは、第三の壁部の一例である。
【００２０】
壁部１３ａは、面１３ｄと、この反対側の面１３ｅと、を有する。面１３ｄおよび面１３ｅは、いずれも、筐体３の厚さ方向と交叉する方向（例えば直交する方向、ＸＹ平面）に沿って延びている（広がっている）。面１３ｄと面１３ｅとは略平行である。面１３ｄは、前面、正面、または内面とも称されうる。面１３ｅは、後面、背面、または外面とも称されうる。
【００２１】
図６に示されるように、壁部１３ｂは、面１３ｆと、この反対側の面１３ｇと、を有する。面１３ｆ，１３ｇは、壁部１３ａの端部１３ｃから前側（図６では左側）に向かうにつれて筐体３の中央部から離間する方向に延びている（広がっている）。面１３ｆと面１３ｇとは略平行である。面１３ｆは、前面または内面とも称されうる。面部１３ｆ，１３ｇは、後面または外面とも称されうる。
【００２２】
部材１３は、少なくとも一つ（例えば四つ）の端部１３ｈを有する。図３，４には、上側および下側に位置された端部１３ｈのみが示されている。端部１３ｈは、壁部１３ｂの先端部（周縁部）に位置され、フランジ状に張り出している。端部１３ｈの少なくとも一部は、筐体３の端部３ｃ〜３ｆの一部を構成している。端部１３ｈは、それぞれ、対応する端部３ｃ〜３ｆの延びる方向に沿って延びている。例えば、上側の端部１３ｈは、端部３ｃの延びる方向、すなわち、Ｘ方向に沿って延びている。また、端部１３ｈは、それぞれ、ＸＹ平面に沿った帯板状に形成されている。
【００２３】
部材１３は、部分的に屈曲され、凹部や凸部等を有する。具体的に、壁部１３ａには、後側に突出する凸部１３ｉ，１３ｊが設けられている。凸部１３ｉは、台形状の断面を有してＸＹ平面に沿う方向（例えばＸ方向やＹ方向）に略等幅で帯状に延びた形状に構成されている。凸部１３ｉは、フレームや、支柱、シャシー等として機能している。複数の凸部１３ｉが、Ｔ字状や、Π字状、格子状等を成す状態に接続され、部材１３の剛性が高められている。また、凸部１３ｊは、円錐台状に構成されている。凸部１３ｊは、筐体３内に収容される部品（例えば回路基板１４Ａ等）を支持する支持部や、脚部、ボス等として機能している。凸部１３ｊには、結合具（固定具、図示されず）を通す開口部が設けられうる。
【００２４】
図３に示されるように、筐体３の内部の空間は、部材１３によって、前後に配置された二つの空間Ｓ１，Ｓ２に分割されている。すなわち、部材１３は、空間Ｓ１と空間Ｓ２とを分ける隔壁とも称されうる。空間Ｓ１は、表示部４よりも後側でありかつ部材１３よりも前側に位置され、筐体３、表示部４、および部材１３に囲まれている。空間Ｓ２は、部材１３よりも後側でありかつ壁部３ｍよりも前側に位置され、部材１３および筐体３に囲まれている。
【００２５】
筐体３の面３ａ，３ｂ，３ｐには、コネクタや、操作部、カメラモジュール（カメラ、撮像装置）等（図示されず）が設けられうる。コネクタは、例えば、電源ケーブル用のコネクタや、ＵＳＢ（universal  serial  bus）コネクタ、カードコネクタ、イヤホンやマイクのコネクタ等であってもよい。操作部は、例えば、押しボタンや、押しスイッチ、スライドスイッチ、ポインティングデバイス、ダイヤル等であってもよい。
【００２６】
表示部４のうち前側に位置した表示面４ａは、開口部３ｒおよび部材３ｓを介して筐体３の前方（外方）から視認可能である。表示部４は、正面視では四角形状（例えば長方形状）に構成されている。表示部４は、前後方向に薄い扁平な直方体状に構成されている。表示部４は、例えば、液晶ディスプレイ（ＬＣＤ，liquid  crystal  display）や有機ＥＬディスプレイ（ＯＥＬＤ，organic  electro-luminescent  display）等である。また、表示部４は、シートディスプレイ（フレキシブルディスプレイ）であってもよい。表示部４は、ディスプレイや、パネル、表示装置等とも称されうる。
【００２７】
図３に示されるように、表示部４の、後側に位置した面４ｂは、筐体３内に臨む。面４ｂは、部材１３の壁部１３ａの面１３ｄに面している。面４ｂは、後面や、背面、内面、非表示面とも称されうる。面４ｂは、第一の面の一例である。
【００２８】
表示部４の後側には、照射された光をディスプレイの背面へ導く導光部４ｃが設けられている。導光部４ｃは、表示部４の一部として一体化（サブアセンブリ）されうる。その場合、面４ｂは、導光部４ｃの一部である。あるいは、導光部４ｃは、表示部４とは別に構成され、テレビジョン受像機１が組み立てられる際に、表示部４の後側に隣接する状態に配置されてもよい。
【００２９】
表示部４の前側には、タッチパネル（図示されず）が設けられてもよい。タッチパネルは、例えば部材３ｓの後側に設けられてもよいし、部材３ｓに替えてあるいは一体的に設けられてもよい。タッチパネルは、透明な比較的薄い四角形状に構成され、表示面４ａを覆っている。ユーザ等は、例えば、手指や部品（例えばスタイラス等、図示されず）等でタッチパネルの前側からタッチパネルに対して、触れる、押す、擦る、あるいは手指やスタイラス等を近傍で動かす、等の操作を行うことで、入力処理を実行することができる。また、表示部４の表示面４ａから出た光は、壁部３ｋの開口部３ｒからタッチパネルおよび部材３ｓを通過（透過）して筐体３の前方（外方）へ出る。タッチパネルは、入力部や、操作部、タッチセンサ等とも称されうる。タッチパネルも、表示部４の一部として一体化（サブアセンブリ）されてもよいし、表示部４とは別に構成され、テレビジョン受像機１が組み立てられる際に、表示部４の前側に隣接する状態に配置されてもよい。
【００３０】
図３，５に示されるように、筐体３内の部材１３の後側、すなわち空間Ｓ２内には、一つ以上の回路基板１４Ａが収容されている。回路基板１４Ａは、Ｚ方向と交差しＸＹ平面に沿って広がった姿勢で配置されている。すなわち、回路基板１４Ａは、表示部４や、壁部３ｋ，３ｍ，１３ａ等と、略並行に設けられている。回路基板１４Ａは、凸部１３ｊに、例えば結合具（例えばねじ、図示されず）によって結合（接続、固定、支持）されている。これにより、回路基板１４Ａは、壁部１３ａの面１３ｅと間隔をあけて面した状態に設けられている。回路基板１４Ａは、壁部３ｋ，３ｍ，３ｎ，１３ａ等と離間した状態で、すなわち、壁部３ｋ，３ｍ，３ｎ，１３ａ等との間に空間（隙間）が形成された状態で、設けられている。
【００３１】
また、本実施形態では、例えば、回路基板１４Ａには、例えば、ＣＰＵ（central  processing  unit）や、グラフィックコントローラ、電源回路部品、ＰＣＨ（platform  controller  hub）、メモリスロットコネクタ、ＬＣＤコネクタ、Ｉ／Ｏ（input/output）コネクタ、電源コイル、素子、コネクタ等の複数の部品１４Ｂ（電気部品、電子部品）を実装することができる。また、制御回路は、例えば、映像信号処理回路や、チューナ部、ＨＤＭＩ（high-definition  multimedia  interface）信号処理部、ＡＶ（audio  video）入力端子、リモコン信号受信部、制御部、セレクタ、オンスクリーンディスプレイインタフェース、記憶部（例えば、ＲＯＭ（read  only  memory）、ＲＡＭ（random  access  memory）、ＨＤＤ（hard  disk  drive）、ＳＳＤ（solid  state  drive）、フラッシュメモリ等）、音声信号処理回路等を、含むことができる。制御回路は、表示部４の表示面４ａでの映像（動画や静止画等）の出力や、スピーカ（図示されず）での音声の出力、ＬＥＤ１４Ｃ（light  emitting  diode、図４参照）での発光等を制御する。表示部４や、スピーカ、ＬＥＤ１４Ｃ等は、出力部の一例である。なお、筐体３内には、回路基板１４Ａに設けられていない電気部品や電子部品も収容されうる。部品１４Ｂは、電気部品、発熱体の一例である。
【００３２】
また、図３，４に示されるように、筐体３内の部材１３の前側、すなわち空間Ｓ１内には、複数のＬＥＤ１４Ｃが収容されている。具体的には、壁部１３ａの面１３ｄ上に、複数のＬＥＤ１４Ｃが、二次元的に、離散的に、例えば格子点状に、配置されている。各ＬＥＤ１４Ｃは、表示部４の導光部４ｃと面している。ＬＥＤ１４Ｃから出射された光は、導光部４ｃ（拡散部）に入射され、拡散された後に、表示部４を透過し、表示面４ａに映し出された映像（画像）とともに前方へ出射される。複数のＬＥＤ１４Ｃは、所定数毎に、基板１４Ｄに実装されている。基板１４Ｄは、線状（帯状、短冊状）に延びている。基板１４Ｄ上では、複数のＬＥＤ１４Ｃが、間隔をあけて一列に並んでいる。基板１４Ｄは、壁部１３ａに、結合具（例えばねじ、図示されず）によって結合（接続、固定、支持）されている。本実施形態では、複数のＬＥＤ１４Ｃと当該ＬＥＤ１４Ｃが実装された基板１４Ｄとによって、ＬＥＤサブアセンブリ（ＬＥＤユニット）が構成されている。よって、作業者は、複数のＬＥＤ１４Ｃをまとめて取り付けることができ、複数のＬＥＤ１４Ｃを個別に取り付ける場合に比べて、より容易にあるいはより迅速に作業を実行することができる。なお、ＬＥＤ１４Ｃの点灯および消灯は、回路基板１４Ａ等に実装された制御回路によって制御される。ＬＥＤ１４Ｃは、発光部、電気部品、発熱体の一例である。
【００３３】
このように、本実施形態では、部材１３の壁部１３ａの前後両側に、ＬＥＤ１４Ｃや、部品１４Ｂ等の発熱体が、配置されている。そこで、本実施形態では、部材１３は、部品の支持や、剛性確保のための部材としてのみならず、発熱体が生じた熱を筐体３外へ出す放熱部材としても用いられている。部材１３は、発熱体が生じた熱を、熱伝導や熱輻射等によって受熱し、受けた熱を筐体３外へ放出する。具体的に、部材１３は、発熱体から受けた熱が、例えば、空間Ｓ２内で下側から上側へ向けて流れる空気流Ｓｔ１，Ｓｔ２に伝わり、対流（熱伝達）によって筐体３外へ輸送されるよう、構成される。なお、部材１３は、発熱体と熱的に接続されてもよい。
【００３４】
ここで、図３に示されるように、本実施形態では、壁部１３ａと回路基板１４Ａとの間に間隔Ｓｐ（隙間）が設けられている。よって、例えば、壁部１３ａから間隔Ｓｐを通る空気流Ｓｔ１に熱が伝達され、この空気流Ｓｔ１が筐体３外へ流出することにより、放熱される。このように、本実施形態では、間隔Ｓｐが設けられていることにより、間隔Ｓｐが設けられていない場合に比べて、壁部１３ａにおける空気流Ｓｔ１と熱交換する領域、すなわち、空気流Ｓｔ１が壁部１３ａに当たる領域が、より広く確保されやすい。よって、部材１３による放熱性能がより高まりやすい。
【００３５】
また、本実施形態では、発熱体としての部品１４Ｂを、回路基板１４Ａの表裏両側を流れる空気流Ｓｔ１，Ｓｔ２によって冷却することができる。よって、部品１４Ｂあるいはその周辺の温度が高くなり難い。
【００３６】
図３，６に示されるように、部材１３の端部１３ｈは、筐体３と接続されている。このため、部材１３の壁部１３ａが受けた熱は、壁部１３ｂを介して端部１３ｈへ伝わり、ひいては筐体３に伝わる。よって、壁部１３ａから端部１３ｈへ壁部１３ｂを介して伝導される熱量が大きいほど、筐体３の温度が高くなりやすい。この点、本実施形態では、図５，６に示されるように、端部３ｃに接続される壁部１３ｂに、複数の開口部１３ｋが設けられている。開口部１３ｋは、それぞれ、Ｘ方向に沿って延びたスリット状の貫通孔である。図５に示されるように、複数の開口部１３ｋが、Ｘ方向に沿って一列に並んでいる。ここで、Ｘ方向は、端部１３ｈが延びた方向であり、壁部１３ａから端部１３ｈへの熱伝導方向（Ｙ方向）と交差した（直交した）方向である。そして、開口部１３ｋの長手方向（Ｘ方向）の両側には、壁部１３ａ側と端部１３ｈ側とをＹ方向に繋ぐ接続部１３ｍが設けられている。接続部１３ｍは、ブリッジ部、またはトラバース部とも称されうる。開口部１３ｋが設けられたことにより、図５，７に示されるように、壁部１３ｂでは、断面１３ｎ、すなわち接続部１３ｍの断面は、他の開口部１３ｋが設けられていない一般部の断面（断面１３ｎと平行な断面）に比べて、狭窄されていることになる。換言すれば、断面１３ｎの断面積は、壁部１３ｂの一般部の断面積よりも小さい。よって、接続部１３ｍは、狭窄部の一例である。接続部１３ｍは、幅狭部とも称されうる。このような構成により、壁部１３ａから壁部１３ｂを介して端部１３ｈひいては筐体３に伝わる熱量を減らすことができる。よって、部材１３が受けた熱によって筐体３（の端部３ｃ）の温度が高くなるのが抑制されうる。なお、空気の対流等によって筐体３のうち上部で温度が高くなりやすいため、本実施形態では、壁部１３ａの周囲の四つの壁部１３ｂのうち上側の壁部１３ｂ、すなわち端部３ｃに沿った壁部１３ｂに、開口部１３ｋならびに接続部１３ｍが設けられている。しかし、これには限定されず、開口部１３ｋは、他の壁部１３ｂに設けられてもよい。また、本実施形態のように複数の開口部１３ｋが設けられた壁部１３ｂの剛性あるいは強度は、一つのより大きな開口部が設けられた壁部（図示されず）の剛性あるいは強度に比べて、高まりやすい。また、本実施形態のように複数の接続部１３ｍが設けられた壁部１３ｂの剛性あるいは強度は、一つの接続部が設けられた壁部（図示されず）の剛性あるいは強度に比べて、高まりやすい。
【００３７】
また、図５，７に示されるように、壁部１３ｂは、開口部１３ｋのＸ方向に沿った幅Ｗ１（長さ）が接続部１３ｍのＸ方向に沿った幅Ｗ２（長さ）よりも大きい部分を有している。また、Ｘ方向（一方向）に沿った壁部１３ｂの断面１３ｎにおいて、開口部１３ｋのＸ方向に沿った幅Ｗ１（長さ）の合計値が、接続部１３ｍのＸ方向に沿った幅Ｗ２（長さ）の合計値よりも大きい。このような構成により、壁部１３ｂにおける熱伝導がより効果的に抑制されやすい。なお、断面１３ｎは、壁部１３ｂの厚さ方向に沿った断面であって、面１３ｆ，１３ｇと直交する一つの断面（平面）である。
【００３８】
なお、接続部１３ｍ（狭窄部）の少なくとも一部は、屈曲されてもよい。例えば、接続部１３ｍは、壁部１３ｂと交差する方向に突出した凸形状あるいは凹形状に屈曲された場合、剛性が向上する。屈曲部の断面形状は、例えば、Ｕ字状、Ｃ字状、半球状、クランク状等である。このような構成によれば、開口部１３ｋ（第一の開口）が設けられた場合にあっても、部材１３の剛性の低下が抑制されやすい。
【００３９】
また、図５〜７に示されるように、本実施形態では、開口部１３ｋは、閉じられている。具体的に、開口部１３ｋは、壁部１３ｂの面１３ｆおよび面１３ｇのうちいずれか一方（例えば面１３ｆ）に取り付けられた覆部材１５によって、覆われている。仮に、開口部１３ｋが開口されていた場合、空間Ｓ１で加熱された空気によって、空間Ｓ１から開口部１３ｋを通って筐体３の端部３ｃに当たる空気流（対流）が形成され、当該端部３ｃが加熱される場合がある。この点、本実施形態では、開口部１３ｋが、覆部材１５で覆われることによって閉じられているため、開口部１３ｋを通る空気流によって筐体３が加熱され、筐体３の温度が高くなるのが、抑制される。なお、開口部１３ｋの全域が閉じられている必要はなく、開口部１３ｋの一部が開口していてもよい。
【００４０】
また、覆部材１５は、例えば、合成樹脂材料等で構成されたフィルムである。覆部材１５は、壁部１３ｂに接着されている。よって、例えば、開口部１３ｋが閉じられた構成を、比較的簡素なあるいは比較的軽量な構成として、得ることができる。また、例えば、作業者は、開口部１３ｋが覆部材１５で閉じられた構成を、比較的容易に得ることができる。また、覆部材１５としては、熱伝導性が比較的低い材料が選択される。
【００４１】
さらに、覆部材１５は、例えば、遮光性を有している。よって、光が覆部材１５を透過し難い。壁部１３ｂは、空間Ｓ１を覆っている。空間Ｓ１では、ＬＥＤ１４Ｃから表示部４にバックライトが照射されている。よって、仮に、開口部１３ｋが開放された状態であったり、あるいは覆部材１５が光を透過する部材であったりすると、空間Ｓ１内の光が、開口部１３ｋあるいは覆部材１５を通して、空間Ｓ２に漏れ、ひいては、開口部３ｔから筐体３の外部へ漏れる場合がある。また、逆に、開口部１３ｋあるいは覆部材１５を通して外部から空間Ｓ１内に光が入ると、例えば、表示面４ａで映し出される映像に明るさのムラが生じたり、所望の映像が出力されなかったりする虞がある。この点、本実施形態では、開口部１３ｋを覆う覆部材１５が遮光性を有しているため、このような不都合な事態が生じ難い。
【００４２】
また、図６に示されるように、筐体３の壁部３ｍに設けられた開口部３ｔは、開口部１３ｋの縁部１３ｐ（周縁部）と面している。上述したように、壁部１３ｂの開口部１３ｋでは熱は伝わらないため、開口部１３ｋの縁部１３ｐには熱が留まりやすい。この点、本実施形態では、開口部３ｔが縁部１３ｐと面するように設けられているため、縁部１３ｐの熱が開口部３ｔを通る空気流Ｓｔ１，Ｓｔ２（対流）によって輸送されやすい。よって、縁部１３ｐ、ひいては、筐体３の温度が高くなり難い。
【００４３】
さらに、開口部３ｔと面する縁部１３ｐは、開口部１３ｋの発熱体側、すなわち、部品１４Ｂ側あるいはＬＥＤ１４Ｃ側（下側）に、位置されている。発熱体側（発熱体に近い側）の縁部１３ｐの温度は、他の縁部の温度よりも高くなりやすい。よって、本実施形態によれば、縁部１３ｐのうち温度が高くなりやすい領域に、開口部３ｔを通る空気流Ｓｔ１，Ｓｔ２を作用させることができる。よって、例えば、壁部１３ｂをより効率よく冷却することができる。
【００４４】
以上、本発明の実施形態を例示したが、上記実施形態はあくまで一例であって、発明の範囲を限定することは意図していない。これら実施形態は、その他の様々な形態で実施されることが可能であり、発明の要旨を逸脱しない範囲で、種々の省略、置き換え、組み合わせ、変更を行うことができる。これら実施形態は、発明の範囲や要旨に含まれるとともに、特許請求の範囲に記載された発明とその均等の範囲に含まれる。また、各実施形態の構成や形状は、部分的に入れ替えて実施することも可能である。また、各構成や形状等のスペック（構造や、種類、方向、形状、大きさ、長さ、幅、厚さ、高さ、数、配置、位置、材質、色、透明度、屈折率、反射率等）は、適宜に変更して実施することができる。例えば、部材１３の端部１３ｈは、筐体３の端部３ｃと接続されたが、これには限定されず、端部１３ｈは、部材１３の壁部１３ａよりも筐体３に近接するよう構成されてもよい。換言すれば、端部１３ｈと筐体３の一部との距離が、壁部１３ａの一部と筐体３の一部との距離よりも短ければよい。また、部材１３の壁部１３ａ（第二の壁部）と壁部１３ｂ（第三の壁部）とがなめらかに連続した構成、すなわち、壁部１３ｂが壁部１３ａの一部（周縁部、端部）である構成であってもよい。
【符号の説明】
【００４５】
１…テレビジョン受像機（映像表示装置）、３…筐体、３ｍ…壁部（第一の壁部）、３ｔ…第二の開口、４…表示部、４ａ…表示面、４ｂ…面（第一の面）、１３ａ…壁部（第二の壁部）、１３ｂ…壁部（第三の壁部）、１３ｈ…端部、１３ｋ…開口部（第一の開口）、１３ｍ…接続部（狭窄部）、１４Ｂ…部品（発熱体、電気部品）、１４Ｃ…ＬＥＤ（発熱体、電気部品）、１５…覆部材、Ｗ１…（開口部の）幅、Ｗ２…（接続部の）幅。
【図１】
2015191201.tif 000003
【図２】
2015191201.tif 000004
【図３】
2015191201.tif 000005
【図４】
2015191201.tif 000006
【図５】
2015191201.tif 000007
【図６】
2015191201.tif 000008
【図７】
2015191201.tif 000009